(57)【要約】【課題】門型状の安全フレームを備える農業用トラクタ等の作業車両において、前記安全フレームを機体から取り外した際、その上下略中間部に配設されている方向指示器を機体側に容易に移設できるようにする。【解決手段】安全フレーム１０を着脱自在に取付ける機体４側のブラケット１１Ｌ，１１Ｒに設けた安全フレーム１０の取付孔Ｈ２に、この取付孔Ｈ２からブラケット１１Ｌ，１１Ｒの外縁に臨むスリットＳ２を設け、該スリットＳ２を利用して方向指示器２５Ｌ，２５Ｒの電気配線２７を取付孔Ｈ２に通すと共に、該取付孔Ｈ２に方向指示器２５Ｌ，２５Ｒの締結ボルト２８を挿通することにより、簡単に当該方向指示器２５Ｌ，２５Ｒをブラケット１１Ｌ，１１Ｒに装着固定できるように構成した。【選択図】図６
2007302137.tif 000002
【特許請求の範囲】
【請求項１】
座席（８）後方のブラケット（１１Ｌ，１１Ｒ）に門型状の安全フレーム（１０）を着脱自在に取付けると共に、この安全フレーム（１０）に左右一対の方向指示器（２５Ｌ，２５Ｒ）を配設した作業車両において、前記安全フレーム（１０）をブラケット（１１Ｌ，１１Ｒ）から取り外した際、更に安全フレーム（１０）から取り外した方向指示器（２５Ｌ，２５Ｒ）を作業車両の機体（４）側に装着可能に構成したことを特徴とする作業車両。
【請求項２】
前記安全フレーム（１０）を取付ける左右のブラケット（１１Ｌ，１１Ｒ）に、取り外した左右の方向指示器（２５Ｌ，２５Ｒ）を夫々装着できるように構成した請求項１に記載の作業車両。
【請求項３】
前記ブラケット（１１Ｌ，１１Ｒ）に安全フレーム（１０）の取付孔（Ｈ２）を設けると共に、該取付孔（Ｈ２）からブラケット（１１Ｌ，１１Ｒ）の外縁に臨むスリット（Ｓ２）を設けて、取り外した方向指示器（２５Ｌ，２５Ｒ）の電気配線２７を前記スリット（Ｓ２）を介して取付孔（Ｈ２）に挿通できるように構成した請求項１または請求項２に記載の作業車両。
【発明の詳細な説明】
【技術分野】
【０００１】
本発明は、方向指示器を安全フレームに配設した農業用トラクタ等の作業車両に関する。
【背景技術】
【０００２】
従来の農業用トラクタにおいては、座席の後方位置にＲＯＰＳとして門型状の安全フレームを備えており、この安全フレームの基端部を取付ける機体側のブラケットに左右一対の方向指示器を配設したものが知られている（例えば特許文献１参照）。
【特許文献１】特開平１０−３２４２１０号公報（第４頁、図２、図８）
【発明の開示】
【発明が解決しようとする課題】
【０００３】
そして、近年は安全性を考慮して、方向指示器の取り付け高さを従来よりも高い位置、即ち安全フレームの上下略中間部に左右一対の方向指示器を配設することによって、後続車両に対する当該方向指示器の視認性を高めた農業用トラクタが多くなっている。
【０００４】
ところで、上述の如く安全フレームを備える農業用トラクタを木枠梱包して、トラックや船等で搬送する場合には、機体から大きく突出する安全フレームを取り外して木枠梱包を行なっており、この時、安全フレームの上下略中間部に配設されている方向指示器を一旦取り外して機体側に移設しようとすると、適切な方向指示器の移設場所がないことから、別途方向指示器を別梱包するといった煩わしさが生じたり、前記梱包作業の前後に農業用トラクタを移動させる場合に当該方向指示器を機能させることができなかった。
【課題を解決するための手段】
【０００５】
本発明は、上記課題を解決することを目的としたものであって、座席後方のブラケットに門型状の安全フレームを着脱自在に取付けると共に、この安全フレームに左右一対の方向指示器を配設した作業車両において、前記安全フレームをブラケットから取り外した際、更に安全フレームから取り外した方向指示器を作業車両の機体側に装着可能に構成したことを第１の特徴としている。
【０００６】
そして、前記安全フレームを取付ける左右のブラケットに、取り外した左右の方向指示器を夫々装着できるように構成したことを第２の特徴としている。
【０００７】
更に、前記ブラケットに安全フレームの取付孔を設けると共に、該取付孔からブラケットの外縁に臨むスリットを設けて、取り外した方向指示器の電気配線２７を前記スリットを介して取付孔に挿通できるように構成したことを第３の特徴としている。
【発明の効果】
【０００８】
請求項１の発明によれば、安全フレームをブラケットから取り外した際、作業車両の機体側に安全フレームから取り外した方向指示器を容易に装着することができるので、作業車両を移動走行させる時も方向指示器を機能させて安全な走行が可能になる。
【０００９】
そして、前記安全フレームを取付ける左右のブラケットに、取り外した左右の方向指示器を夫々装着できるように構成したことによって、この方向指示器を装着するための特別な支持部材を機体側に設けなくて済む。
【００１０】
更に、前記ブラケットに安全フレームの取付孔を設けると共に、該取付孔からブラケットの外縁に臨むスリットを設けて、取り外した方向指示器の電気配線２７を前記スリットを介して取付孔に挿通できるように構成したことによって、当該方向指示器を簡単にブラケットに装着できるようになり作業時間の短縮が図れる。
【発明を実施するための最良の形態】
【００１１】
以下、本発明の実施形態を図面に基づいて説明する。図１は、作業車両の一例である農業用トラクタ１の平面図であって、農業用トラクタ１は、左右の前輪２，２及び後輪３，３を有する機体４にエンジン５をボンネット６で覆った状態で搭載すると共に、その後方にステアリングホイール７及び座席８等からなる操縦部９を設け、更に座席８の後方位置にＲＯＰＳとして、機体４から上方に突出する正面視で門型状の安全フレーム１０を備えている。
【００１２】
そして、安全フレーム１０は、図２及び図３に示すように、角パイプ材を逆Ｕ字状に屈曲成形してあり、その基端部を機体４に備える左右一対のブラケット１１Ｌ，１１Ｒに着脱自在に取付ている。このブラケット１１Ｌ，１１Ｒは、左右のリヤアクスルケース１２Ｌ，１２Ｒに螺設した取付ブラケット１３Ｌ，１３Ｒと、油圧ハウジングケース１４に螺設した取付ブラケット１５に、カラー１６Ａ及び防振ゴム１６Ｂを介して支持した下部フレーム１７の上部に一体形成されている。
【００１３】
また、ブラケット１１Ｌ，１１Ｒは、図４に示すように、平面視でコの字状の断面形状を有し、このブラケット１１Ｌ，１１Ｒに、平面視でコの字状の断面形状に形成した安全フレーム１０の基端部１０ａを外嵌させた状態で、当該安全フレーム１０を支点ボルト１８とリンチピン１９を用いて取付けることができるようになっている。
【００１４】
更に詳しくは、ブラケット１１Ｌ，１１Ｒの後側には、安全フレーム１０の回動支点となる支点ボルト１８を挿通するためのボス２１を固設してある。一方、安全フレーム１０の基端部１０ａの外側には、リンチピン１９を挿通すると共に該リンチピン１９のリング１９ａを係止可能なスリットＳ１を設けたボス２２を固設している。更に、ブラケット１１Ｌ，１１Ｒには、安全フレーム１０の取付孔となる二つの位置決め孔Ｈ１，Ｈ２が設けてあり、この位置決め孔Ｈ１，Ｈ２の何れか一方にリンチピン１９を選択的に係止させることができる。尚、リンチピン１９は、圧縮スプリング２３を介して常時位置決め孔Ｈ１，Ｈ２への係止方向に付勢されている。
【００１５】
したがって、上述した二つの位置決め孔Ｈ１，Ｈ２うち、下側の位置決め孔Ｈ１にリンチピン１９を係止させた時は、安全フレーム１０は図３に実線で示す起立姿勢Ｂとなり、また上側の位置決め孔Ｈ２にリンチピン１９を係止させた時は、安全フレーム１０は２点鎖線で示す中間傾倒姿勢Ｃとなる。即ち、前記リンチピン１９を抜き差し操作することにより、支点ボルト１８を回動支点として安全フレーム１０を上下に回動させ、当該安全フレーム１０を容易に姿勢変更できるように構成してあり、車庫等へ農業用トラクタ１を格納する時は、安全フレーム１０を低く折畳んで機体上方の格納スペースを広げ、また作業走行時は、安全フレーム１０を起立させて機体転倒時におけるオペレータの安全性を確保している。
【００１６】
また、安全フレーム１０の上下略中間部の後側には、背面視でＬ字状の曲げプレート１０ｂ，１０ｂが固設してあり、この曲げプレート１０ｂ，１０ｂに左右一対の方向指示器２５Ｌ，２５Ｒを配設（螺設）している。そして、方向指示器２５Ｌ，２５Ｒの電気配線２７は、当該方向指示器２５Ｌ，２５Ｒに一体に備える締結ボルト２８の内筒（不図示）を通過し、安全フレーム１０の基端部１０ａに向けて配線されている。
【００１７】
ところで、安全フレーム１０を備える農業用トラクタ１を木枠梱包して、トラックや船等で搬送する場合には、機体４から上方に突出する安全フレーム１０をブラケット１１Ｌ，１１Ｒから取り外して木枠梱包を行なっており、この時、安全フレーム１０の上下略中間部に配設されている方向指示器２５Ｌ，２５Ｒを一旦取り外して機体４側に移設しようとすると、適切な方向指示器２５Ｌ，２５Ｒの移設場所がないことから、別途方向指示器２５Ｌ，２５Ｒを別梱包するといった煩わしさが生じたり、上述した梱包作業の途中で農業用トラクタ１を移動させる場合に当該方向指示器２５Ｌ，２５Ｒを機能させることができなかった。
【００１８】
そこで、本発明では、上述の木枠梱包作業において、機体４から上方に突出する安全フレーム１０をブラケット１１Ｌ，１１Ｒから取り外した際、更に安全フレーム１０から取り外した方向指示器２５Ｌ，２５Ｒを農業用トラクタ１の機体４側に装着できるように構成することで、前記梱包作業の前後に農業用トラクタ１を移動走行させる時も方向指示器を機能させて安全な走行を可能にしている。
【００１９】
即ち、安全フレーム１０を着脱自在に取付ける左右一対のブラケット１１Ｌ，１１Ｒに設けた上側の位置決め孔Ｈ２には、図５に示すように、該位置決め孔Ｈ２ブラケットの１１Ｌ，１１Ｒの外縁に臨むスリットＳ２が設けてあり、安全フレーム１０をブラケット１１Ｌ，１１Ｒから取り外す時は、先ず安全フレーム１０に配設されている方向指示器２５Ｌ，２５Ｒを取り外し、次いで安全フレーム１０をブラケット１１Ｌ，１１Ｒから取り外した後、図６に示すように、上述したスリットＳ２を利用して、方向指示器２５Ｌ，２５Ｒの締結ボルト２８の内筒を通過する電気配線２７を位置決め孔Ｈ２に通し、しかる後にこの位置決め孔Ｈ２に挿通した締結ボルト２８をワッシャ３１及びナット３２を用いて固定することによって、方向指示器２５Ｌ，２５Ｒの電気配線２７を取り外すことなく、当該方向指示器２５Ｌ，２５Ｒをブラケット１１Ｌ，１１Ｒに簡単に装着することができるように構成している。したがって、方向指示器２５Ｌ，２５Ｒを装着するための特別な支持部材を機体４側に設けなくて済む。
【００２０】
尚、安全フレーム１０をブラケット１１Ｌ，１１Ｒから取り外す際は、リンチピン１９を圧縮スプリング２３に抗して手前に引き、リンチピン１９と二つの位置決め孔Ｈ１，Ｈ２との係止を解除して、当該安全フレーム１０を後側に完全に傾倒させた状態で支点ボルト１８を取り外せば作業性がよい。また、図６に示す符号３３，３３は、方向指示器２５Ｌ，２５Ｒの電気配線２７を、コの字状の断面形状を有するブラケット１１Ｌ，１１Ｒの内側にとりまとめて収容するために用いるクランプである。
【図面の簡単な説明】
【００２１】
【図１】農業用トラクタの平面図。
【図２】安全フレームの支持構成を示す要部背面図。
【図３】安全フレームの支持構成を示す要部側面図。
【図４】図３におけるＡＡ断面図。
【図５】ブラケットの形状を示す斜視図。
【図６】方向指示器をブラケットに移設した状態を示す斜視図。
【符号の説明】
【００２２】
４      機体
８      座席
１０    安全フレーム
１１Ｌ  ブラケット（左側）
１１Ｒ  ブラケット（右側）
２５Ｌ  方向指示器（左側）
２５Ｒ  方向指示器（右側）
２７    電気配線
Ｈ２    取付孔（位置決め孔）
Ｓ２    スリット
【図１】
2007302137.tif 000003
【図２】
2007302137.tif 000004
【図３】
2007302137.tif 000005
【図４】
2007302137.tif 000006
【図５】
2007302137.tif 000007
【図６】
2007302137.tif 000008